(57)【要約】【課題】長骨の髄管内で固定して保持されるインプラントを提供する。【解決手段】システムは、圧縮下で骨の骨内膜表面に堅く固定された細長い髄内釘を含み、単一皮質小ネジが、骨を通して釘の長さ方向に転置された複数のネジ孔内に挿入されている。この釘のネジ孔と一直線上に、骨に孔をあけるためにジグが供給される。釘およびジグはそれぞれ回転防止構造を含み、釘およびジグは、この構造のところで固定された整列状態で共に連結される。骨折部の２つの側で髄内釘を植え込み、インプラントを押して骨の骨内膜表面に接触させ、かつ骨の外面に対して圧縮力をかけることにより骨折部を固定するのに十分な力で骨をクランプするための方法も、提供される。【選択図】なし
2008519664.tif 000002
【特許請求の範囲】
【請求項１】
ジグと共に使用するための髄内釘システムにおいて、
細長い釘であって、
骨内膜表面、
前記骨内膜表面に対して垂直に方向付けられた、ねじ切りされ平行な少なくとも４つのネジ孔、および、
前記釘に対して回転配向に前記ジグをロックするように前記ジグの一部と結合するための、前記骨内膜表面に設けられた、非円形凹部、
を含む、釘、
を備える、釘システム。
【請求項２】
請求項１に記載の釘システムにおいて、
前記非円形凹部は、前記ネジ孔のうちの１つに設けられる、釘システム。
【請求項３】
請求項１に記載の釘システムにおいて、
前記非円形凹部は、前記釘の長さに沿って中心に位置する、釘システム。
【請求項４】
請求項１に記載の釘システムにおいて、
前記非円形凹部は、正方形、または長方形である、釘システム。
【請求項５】
請求項１に記載の釘システムにおいて、
前記釘は、２つの細長い部分を画定し、これら部分は、前記非円形凹部の両側にそれぞれ１つずつ位置しており、
等しい数の前記ねじ切りされたネジ孔が、各前記部分に沿って設けられる、釘システム。
【請求項６】
請求項１に記載の釘システムにおいて、
前記釘は、先細になっている、第１および第２の端部を含む、釘システム。
【請求項７】
請求項１に記載の釘システムにおいて、
複数の単一皮質小ネジであって、各前記小ネジは、頭部、および前記ネジ孔のうちの１つでネジ係合するように構成されたシャフトを有する、小ネジ、
をさらに備え、
前記ネジが骨を通して前記ネジ孔内に挿入されると、前記骨は、前記ネジの前記頭部の間にクランプされる、
釘システム。
【請求項８】
整形外科用釘システムにおいて、
ａ）細長い釘であって、
骨内膜表面、
前記骨内膜表面に対して垂直に方向付けられた複数のねじ切りされたネジ孔、および、
前記釘の前記骨内膜表面に設けられた非円形凹部、
を含む、釘と、
ｂ）複数の単一皮質小ネジであって、各前記小ネジは、頭部、および前記ネジ孔のうちの１つでネジ係合するように構成されたシャフトを有する、小ネジと、
ｃ）取り外し可能なジグであって、
骨を通って延び前記非円形凹部内で係合し前記ジグおよび前記釘を一直線上にロックするのに十分な長さの第１の部分、および、
前記釘の前記ネジ孔の上を延びるように、かつ、前記骨に、この骨の下にある前記ネジ孔と整列する孔をあけるようドリルを案内するためにドリルガイドを受け入れるように寸法決めされた第２の部分、
を有する、ジグと、
を備え、
前記ネジが、前記骨を通して前記ネジ孔内に挿入されると、前記骨は、前記ネジの前記頭部と前記釘との間でクランプされる、整形外科用釘システム。
【請求項９】
請求項８に記載の整形外科用釘システムにおいて、
前記釘は、複数の非円形凹部を含み、
前記ジグの前記第１の部分は、前記凹部のいずれにでも取り外し可能に係合することができる、整形外科用釘システム。
【請求項１０】
請求項８に記載の整形外科用釘システムにおいて、
前記非円形凹部は、前記ネジ孔のうちの１つに設けられる、整形外科用釘システム。
【請求項１１】
請求項８に記載の整形外科用釘システムにおいて、
前記非円形凹部は、前記釘の長さに沿って中心に位置する、整形外科用釘システム。
【請求項１２】
請求項８に記載の整形外科用釘システムにおいて、
前記非円形凹部は、正方形、または長方形である、整形外科用釘システム。
【請求項１３】
請求項８に記載の整形外科用釘システムにおいて、
前記釘は、２つの細長い部分を画定し、これら部分は、前記非円形凹部の両側にそれぞれ１つずつ位置しており、
等しい数の前記ねじ切りされたネジ孔が、各前記部分に沿って設けられる、整形外科用釘システム。
【請求項１４】
請求項８に記載の整形外科用釘システムにおいて、
前記釘は、先細になっている、第１および第２の端部を含む、整形外科用釘システム。
【請求項１５】
請求項８に記載の整形外科用釘システムにおいて、
前記ネジの前記頭部は、平坦な下面を含む、整形外科用釘システム。
【請求項１６】
請求項８に記載の整形外科用釘システムにおいて、
前記第２の部分は、同一直線上の、第１の要素、および第２の要素を含み、これら要素は、前記第１の部分の両側にそれぞれ延びており、
前記第２の要素は、前記第１の要素よりも長い、整形外科用釘システム。
【請求項１７】
整形外科用釘システムにおいて、
ａ）細長い釘であって、
骨内膜表面、
前記骨内膜表面に対して垂直に方向付けられた複数のねじ切りされたネジ孔、および、
前記骨内膜表面に設けられた複数の非円形凹部、
を含む、釘と、
ｂ）複数の単一皮質小ネジであって、各前記小ネジは、頭部、および前記ネジ孔のうちの１つでネジ係合するように構成されたシャフトを有する、小ネジと、
ｃ）取り外し可能なジグであって、
前記ジグは、
骨を通って延びるように、かつ前記非円形凹部内で係合し前記ジグおよび前記釘を一直線上にロックするように構成された第１の部分、ならびに、
前記釘の前記ネジ孔の少なくとも一部の上に延びるように寸法決めされた第２の部分、
を有し、
前記第２の部分は、骨に、この骨の下にある前記ネジ孔と一直線上に孔をあけるために、ドリルを案内する手段を備える、
ジグと、
を備え、
前記ネジが前記骨を通して前記ネジ孔内に挿入されると、前記骨は、前記ネジの前記頭部と前記釘との間でクランプされる、整形外科用釘システム。
【請求項１８】
整形外科用釘システムにおいて、
ａ）細長い釘であって、
骨内膜表面、
前記骨内膜表面に対して垂直に方向付けられた複数のねじ切りされたネジ孔であって、前記ネジ孔のうち複数が前記釘の長さ方向中心部の第１の側および第２の側に設けられた、ネジ孔、ならびに、
前記骨内膜表面に設けられた複数の非円形凹部、
を含む、釘と、
ｂ）ジグであって、
骨を通って配置され、かつ前記非円形凹部内で取り外し可能に係合して前記ジグおよび前記釘を回転配列にするように構成された第１の部分、ならびに、
第２の部分、
を有し、
前記第２の部分は、
第１の側であって、前記釘の前記長さ方向中心部の前記第１の側に設けられた前記ネジ孔の上に延びるのに十分な長さであり、前記ネジ孔と一直線上に孔をあけるために前記ネジ孔と一直線上に開口部を含む、第１の側、ならびに、
第２の側であって、前記釘の前記長さ方向中心部の前記第２の側に設けられた前記ネジ孔のうち少なくとも１つの上に延びるのに十分な長さであり、前記ネジ孔と一直線上に孔をあけるために前記ネジ孔と一直線上に少なくとも１つの開口部を含む、第２の側、
を有する、
ジグと、
を備える、整形外科用釘システム。
【請求項１９】
請求項１８に記載の整形外科用釘システムにおいて、
前記釘に対して前記ジグをロックするための手段、
をさらに備える、整形外科用釘システム。
【請求項２０】
請求項１８に記載の整形外科用釘システムにおいて、
前記第２の側は、前記長さ方向中心部の前記第２の側に設けられた前記ネジ孔のすべての上に延びるのに十分な長さであり、前記第２の側の下にあるそれぞれの前記ネジ孔と一直線上に孔をあけるための開口部を含む、整形外科用釘システム。
【請求項２１】
請求項１８に記載の整形外科用釘システムにおいて、
複数の単一皮質小ネジであって、各前記小ネジは、頭部、および前記ネジ孔のうちの１つでネジ係合するように構成されたシャフトを有する、小ネジ、
をさらに備え、
前記ネジが骨を通って前記ネジ孔内に挿入されると、前記骨は、前記ネジの前記頭部と前記釘との間でクランプされる、
整形外科用釘システム。
【請求項２２】
整形外科用釘システムにおいて、
ａ）細長い釘であって、
骨内膜表面、および、
前記骨内膜表面に対して垂直に方向付けられた複数のねじ切りされたネジ孔、
を含み、
前記ネジ孔のうち少なくとも１つが、骨幹骨折部の両側にそれぞれ位置するように構成されている、
釘と、
ｂ）複数の単一皮質小ネジであって、
各前記小ネジは、頭部、および前記ネジ孔のうちの１つでネジ係合するように構成されたシャフトを有し、
前記頭部は、骨と接触するための下面を有し、
前記下面は、表面積、および前記シャフトを通る断面により画定される面積を有し、
前記シャフトを通る前記断面の前記面積に対する前記頭部の前記下面の前記表面積の割合は、少なくとも１．５である、
小ネジと、
を備える、整形外科用釘システム。
【請求項２３】
請求項２２に記載の整形外科用釘システムにおいて、
2008519664.tif 000008
【請求項２４】
請求項２３に記載の整形外科用釘システムにおいて、
2008519664.tif 000009
【請求項２５】
請求項２３に記載の整形外科用釘システムにおいて、
前記下面は、ほぼ平坦である、整形外科用釘システム。
【発明の詳細な説明】
【開示の内容】
【０００１】
本願は、現在は米国特許第６，７０６，０４６号として発行されている、２００２年１２月１０日出願の米国特許出願第１０／３１５，７８７号の一部継続出願である、２００４年１月２２日出願の米国特許出願第１０／７６２，６９５号の一部継続出願であり、これにより両文献は、参照することによってその全体が本明細書に組み込まれる。
【０００２】
〔発明の背景〕
〔発明の分野〕
本発明は、広義には外科的処置に関する。詳細には、本発明は、骨折を固定するための整形外科装置に関する。より詳細には、本発明は、骨幹骨折の固定のための髄内装置に関する。
【０００３】
〔最新技術〕
深刻な長骨骨折は、平板固定によって治療されることが多い。平板固定では、比較的大きな切開部が、骨折箇所で形成され、筋肉組織、および腱は、骨表面を露出するために骨から転置され、治癒のために骨折部を理想的には支持し安定させるように、骨プレートが、骨折した骨の１つ以上の断片に固定して取り付けられる。このプレートを植え込むのに必要な処置の比較的侵襲的な性質のため、平板固定は、一般的には、あまり侵襲性のない固定方法では治療できない骨折に対して用いられる。
【０００４】
あまり複雑でない骨折は、ギプス包帯（casting）またはワイヤで治療されることが多い。しかし、このような保守的な治療では、所望の回復に必要な安定および支持を提供できない場合がある。それでも、平板固定の手術方法は、比較的深刻でない骨折にはあまりに侵襲的であることが多い。さらに、従来の平板固定は、腱の炎症、および皮膚の壊死を結果として生じる場合があり、骨表面にプレートを取り付けるために広範囲にわたる骨膜剥離（extensive periosteal stripping）を必要とする場合がある。
【０００５】
イトマン（Itoman）他に付与された米国特許第５，６６５，０８６号は、骨幹に沿った骨折を治療するために、たとえそのような骨折が長骨の無傷の端部から比較的遠くに転置されていたとしても、その長骨の無傷の端部を貫通しなければならない髄内釘を開示している。
【０００６】
加えて、長骨の骨幹に沿って生じる骨折を治療するために、そのような骨折に所望の整復および固定をもたらす、比較的低侵襲性の処置は、存在しない。さらに、このような骨折を局部内で（intrafocally）治療するために、観血的整復法および内部固定などの、より侵襲的な処置によって通常得られる安定性をもたらす、比較的低侵襲性の処置は、存在しない。
【０００７】
〔発明の概要〕
したがって、本発明の目的は、長骨骨折に安定および支持をもたらす、比較的低侵襲性の治療を提供することである。
【０００８】
本発明の別の目的は、骨幹骨折に安定および支持をもたらす、比較的低侵襲性の治療を提供することである。
【０００９】
本発明のさらなる目的は、長骨の髄管内で固定して保持されるインプラントを提供することである。
【００１０】
以下で詳細に論じられるこれらの目的にしたがって、髄内釘システムを提供する。このシステムは、細長い釘、骨ネジ、およびジグシステム（jig system）を含む。この釘は、単一皮質ロック小ネジ（unicortical locking machine screws）が、骨、および釘の長さ方向に転置された複数のネジ孔に挿入された状態で、圧縮下で、骨の骨内膜表面に堅く固定されるように設計されている。このネジ孔は、釘の骨内膜表面に対して垂直に方向付けられるのが好ましい。ネジはそれぞれ、骨の外面に接触して設置される比較的大きな頭部を含む。このネジが締められると、釘は、骨の骨内膜表面に接触させられ、ネジの頭部と釘との間で骨をクランプする。ジグは、釘のネジ孔と一直線上に（in alignment）、骨を通る孔をあけるために設けられる。本発明の一態様にしたがうと、釘およびジグはそれぞれ、回転防止構造（anti-rotation structure）を含み、この構造によって、釘およびジグは、固定された整列状態で共に連結されることができる。好ましい実施態様では、釘のこのような回転防止構造は、釘の骨内膜表面に非円形凹部を含む。この凹部は、釘の長さ方向中心部に設けられてよく、あるいは、１つ以上の凹部が、それぞれのネジ孔と整列されることができる。ジグは、骨を貫通して非円形の凹部内に係合してジグおよび釘を一直線上に固定する第１の部分、ならびに、釘のネジ孔の上を延び、骨にこの骨の下にあるネジ孔と整列する（into alignment）孔をあけるようドリルを案内するためにドリルガイドを受け入れるように寸法決めされた第２の部分を有する。
【００１１】
本発明の一方法にしたがうと、釘は、骨折部の一方の側の髄管内に導入され、次に、この釘が骨折部位に対して中心にきて骨折部の両側にそれぞれほぼ均等に延びるように、この釘は、再配置される。骨、および釘の第１のネジ孔を通って孔があけられる。ジグが釘に対して回転しないように、ジグは、ネジ孔のうちの１つにおいて取り付けられる。ドリルガイドは、ジグの整列したそれぞれの孔を通って挿入され、釘のネジ孔と一直線上で骨に孔があけられる。次に皮質ロックネジは、あけられた孔に挿入されネジの頭部と釘との間で骨をクランプする。ジグは取り除かれ、ジグが先にあった位置でネジが挿入される。
【００１２】
別の実施態様にしたがうと、釘は、中央のねじ切りされたネジ孔、およびこの中央のネジ孔との一直線上に、釘の骨内膜表面の非円形の凹部を含む。刻み目が、骨折部位で作られる。この刻み目が、骨に、ジグの第１の部分のための空間を画定した状態で、釘は、髄管内に挿入され、ジグは、中央のネジ孔に取り付けられる。このジグは次に、ネジ孔との一直線上で、骨に孔をあけるために使用される。その次に、ネジは、骨および釘を通って挿入されて締められ、ネジの頭部と釘との間で骨がクランプされ、ジグは釘から取り除かれる。
【００１３】
釘およびこの方法の結果、より小さな切開部を形成することができ、手術は、比較的低侵襲性で、骨膜組織の小さな剥離のみを伴う。さらに、釘は、挿入しやすく、自動誘導（self-guiding）で髄管内に整列する。その結果得られる固定は、大きなネジ頭部と釘との間で骨折した骨をクランプするため非常に安定している。さらに、この大きなネジ頭部は、皮質骨の外面の比較的大きな表面積にわたって骨にかかる応力を分配する。
【００１４】
本発明のさらなる目的および利点は、提供された図面とともに詳細な説明を参照すれば、当業者には明らかであろう。
【００１５】
〔好ましい実施態様の詳細な説明〕
まず図１〜図３を参照すると、本発明にしたがった骨内釘システム（endosteal nail system）が示されている。このシステムの釘１０は、機械ねじ山（machine threads）がねじ切りされた、長さ方向に転置された複数のネジ孔１２を含む。このネジ孔は、釘の骨内膜表面１４に対して垂直に方向付けられるのが好ましい。釘１０は、以下に説明する単一皮質ロック小ネジ２０が骨１８およびねじ切りされたネジ孔１２を通って挿入された状態で、圧縮下で、骨１８の骨内膜表面１６に堅く固定されるように設計されている。少なくとも１つ、好ましくは２つのネジ孔の上に、非円形凹部２２が設けられる。この非円形凹部２２が設けられた、このようなネジ孔１２ａ、１２ｂは、「ジグ孔（jig holes）」と呼ばれ、２つ設けられる場合には、釘の長さ方向中心部１９から等距離にあることが好ましい。ジグ孔１２ａ、１２ｂの非円形凹部２２は、正方形の形状であるが、三角形、六角形、星型、楕円形などの形状であってもよい。釘１０の端部２３は、先細であるのが好ましい。釘１０は、円形の断面を有するのが好ましいが、正方形、平らな、楕円形、または他の断面形状を有してもよく、あるいは、釘の長さに沿って断面形状が変わっていてもよい。釘は、使用される釘が通る髄管よりも断面が小さくなるように寸法決めされるのが好ましい。この釘は、構造がチタン合金、またはステンレス鋼であることが好ましい。
【００１６】
図３を参照すると、複数のロックネジ２０が、ネジ孔１２内への挿入のために提供されている。このネジ２０はそれぞれ、釘のネジ孔１２にネジ係合するために機械ねじ山を備えるシャフト２４、および骨１８の外面２７に接触して設置されるための比較的大きな頭部２６であって、以下でさらに説明するように、このネジの頭部２６と釘１０との間で骨をクランプする頭部２６を含む。
【００１７】
より詳細には、図４および図５を参照すると、ネジ２０は、設計が単一皮質であるのが好ましい。つまり、各ネジ２０のシャフト２４は、近くにある、骨の皮質を通って延び、釘１０のネジ孔１２にねじ込まれるが、好ましくは遠くにある、骨の皮質を越えて延びないように、（治療されている特定の骨のために）長さが選択される。シャフト２４は、先端部分７０、本体部分７２、および、ゆとり部分（clearance portion）７４を含む。本体部分７２は、ネジ孔１２内で係合するように構成されたねじ山７６を含む。ゆとり部分７４では、シャフトは比較的滑らかであるが、ゆとり部分に延在し、ねじ山７６につながっておりねじ山７６と同じピッチである、浅いねじ山溝（shallow thread channel）７８を有する。このねじ山溝７８は、ネジ孔１２のねじ山に適合するように寸法決めされている。先端部分７０もまた、好ましくは比較的滑らかであるが、ゆとり部分７４よりも直径が僅かに小さい。例えば、ゆとり部分７４の直径２．４８９ｍｍ（０．０９８インチ）に対して、先端部分７０の直径２．４１３ｍｍ（０．０９５インチ）である。加えて、先端部分７０もまた、この先端部分に延在し、ねじ山７６につながっておりねじ山７６と同じピッチである、浅いねじ山溝８０を有するのが好ましい。ネジは、骨内に入り込むことは意図されていないため、先端部分７０は、比較的先が丸い端部８２をさらに有するのが好ましい。加えて、各ネジ２０の頭部２６は、骨に接触して負荷および応力を分散するように構成された、実質的に平坦な（平面の）下面８４、ならびにドライバー受容スロット８６を有する。以下に説明するように、骨が圧縮下にあるときに、負荷および応力を分散するために、下面８４は、シャフト２４を通る断面により画定される面積よりも少なくとも１．５倍大きいことが好ましい表面積を画定する。最も好ましくは、下面８４の表面積は、
2008519664.tif 000003
より大きな表面積にわたって力を分配するためにさらに大きくてもよい。この好適な比率により、釘１０のネジ孔１２内での安定したネジ係合のためにシャフト２４の所望の寸法に対する圧縮のための頭部２６の適切に大きな表面積がもたらされる。
【００１８】
ジグ３０は、単一皮質ネジ２０の挿入のために、釘１０のネジ孔１２との一直線上で骨１８に孔をあけるために提供される。ジグ３０は、骨１８を通って延び、非円形凹部２２内で係合するように形状および寸法が対応する端部を含む第１の部分３２を含む。つまみねじ３４は、ジグ３０を通って第１の部分３２内まで挿入され、凹部２２においてジグ３０および釘１０を共にロックするので、ジグおよび釘は、互いに対して回転することができない。ジグ３０は、釘１０のネジ孔１２の上に延び、骨１８に、下にあるネジ孔１２と整列した孔をあけるためドリル４２を案内するためにドリルガイド４０を受け入れることができる開口部３８を含む、第２の部分３６を含む。
【００１９】
図２および図３に戻って参照すると、本発明の第１の方法にしたがえば、釘１０は、骨折部４６を通って髄管４４内に導入される。一部の骨、例えば鎖骨については、釘の導入前に髄管を広げるために、錐またはドリルを使用する必要がある場合がある。釘１０は、骨折部４６の一方の側の髄管４４内に導入され、次に釘の長さ方向中心部１９が骨折部位４６にくるか、骨折部位４６に隣接するように、釘１０は再配置される。
【００２０】
比較的大きな第１の孔５０は、骨１８を通してフリーハンドであけられ、あけられた孔５０、およびジグ孔１２ａは、整列される。ジグ３０は、ジグの第１の部分３２がジグ孔１２ａの凹部２２内で係合されるように、ジグ孔１２ａに対して配置される。ジグ３０は、次に、つまみねじ３４が取り付けられて、ジグ３０は釘１０にロックされ、釘に対して回転しなくなり、したがって処置の間中、開口部３８を髄管内の釘１０のネジ孔１２の上で一直線上になるように維持する。ドリルガイド４０は、次にジグ３０のそれぞれの整列した孔３８を通して挿入され、ドリル４２によって、釘のネジ孔１２と一直線上で骨１８に孔があけられる。
【００２１】
単一皮質ロックネジ２０は、次に、あけられた孔を通して挿入され、ネジ頭部２６と釘１０との間で骨１８をクランプする。ジグ３０は、取り除かれる。ネジ２０は次に、ジグ３０が先にあった位置でジグ孔１２ａ内に挿入される。ネジ孔１２がすべて、釘１０の骨内膜表面１６に対して直角に方向付けられるので、すべてのネジ２０は、骨折した骨の安定のため、釘とネジ頭部との間で最大限のクランプ力を提供する、好ましくは平行の線形配列である。
【００２２】
前述したように孔をあける際、孔は骨折部の一方の側で骨にあけられ、ネジ２０はその孔を通って釘内に挿入され、次に骨折部は、圧縮下で骨と整復され、その後骨折部の他方の側に孔があけられ、それからネジがその孔を通って釘のそれぞれの孔に挿入されるのが好ましい。このステップの順番は、骨折部の適切な治癒を助けるよう作用する。
【００２３】
次に図６〜図８を参照すると、骨内釘の別の実施態様が示されており、前述した実施態様とほぼ同様のものである。先の実施態様とは違って、ジグ孔１１２ａ、および非円形凹部１２２は、釘の長さ方向中心部１１９に設けられている。
【００２４】
図７および図８を参照すると、使用中、刻み目１５０は、骨折部位１４６に、例えば骨鉗子で作られる。釘１１０は、髄管１４４内に挿入され、刻み目１５０がジグの第１の部分１３２のための、骨１１８内の空間を画定した状態で、ジグ１３０は、つまみねじ１３４で中央のジグ孔１１２ａに取り付けられる。ジグ１３０は、次に、ネジ孔１１２との一直線上で骨に孔をあけるため、ドリルガイド１４０およびドリル１４２と共に使用される。単一皮質の機械でねじ切りされたネジ（unicortical machine-threaded screws）１２０は、次に骨１１８を通って釘１１０内に挿入され、締められてネジの頭部１２６と釘との間で骨をクランプする。その後ジグ１３０は、釘から取り除かれる。
【００２５】
次に図９を参照すると、釘２１０の第３の実施態様が示されている。釘２１０は、概して前述されたように、複数のネジ孔２１２を含み、これらのネジ孔のそれぞれは、その孔の上に整列した非円形凹部２２２を含む。ジグ２３０もまた図示されており、このジグは、凹部２２２内で係合する第１の部分２３２、および釘２１０に平行に延びる第２の部分２３６を含む。第２の部分２３６は、ジグが中央のネジ孔２１２ａに取り付けられると、釘の長さ方向中心部２１９の両側でネジ孔の上に延びる第１の要素２９０、および第２の要素２９２を含む。しかし、第２の要素２９２は、第１の要素２９０よりも長く、ガイドのための少なくとも１つの追加の開口部２３８ａを含み、この開口部２３８ａは、ジグが中央のネジ孔２１２ａで取り付けられると、対応する側のネジ孔を越えて延びる。
【００２６】
使用中、釘２１０は、骨折部の一方の側に導入され、次に釘２１０の長さ方向中心部２１９が骨折部位にくるか、骨折部位に隣接するように再配置される。ジグ２３０の第１の部分２３２は、骨折部を通して配され、つまみねじ２３４により、好ましくは釘の中央のネジ孔２１２ａに連結されてジグ２３０はロックされて釘に対して回転しなくなり、したがって開口部２３８をジグ２３０の第１の要素２９０のネジ孔２１２上に一直線上になるように保持する。次に、第１の要素２９２の開口部２３８を通して、対応するネジ孔２１２と一直線上に、骨折部の第１の側に孔があけられる。第１の要素２９０の下の穿孔された孔のうち１つを除いてすべて、ネジ２２０が設けられるのが好ましい。図１０を参照すると、ジグ２３０は次に、中央のネジ孔２１２ａからはずされて、まだネジを含んでいない、穿孔された孔を通して釘２１０に再び取り付けられる。骨折部２４６は、次に整復され、圧縮が適用される。圧縮を維持してジグ２３０の第２の要素２９４の開口部２３８を使用しながら、骨折部の第２の側のネジ孔と一直線上に、骨２１８に孔があけられる。その後ネジは穿孔された孔の中に配され、骨折部を整復され圧縮された配列に保持する。次にジグ２３０は、取り除かれ、最後のネジが、ジグが前に取り付けられていた孔に配置される。
【００２７】
ジグ２３０を使用して処置の間にジグ２３０の位置を再配置する代わりに、２つの別個のジグを使用することができる。例えば、初めに、ジグ１３０は、中央のネジの位置２１２ａで使用されてよい。骨折の整復後、ジグ３０（またはより長く、ドリルガイドのための開口部がより多い同様のジグ）は、長さ方向にオフセットした位置で使用されることができる。
【００２８】
すべての実施態様において、骨を操作しやすくするために骨に釘を挿入する前に、ジグを釘に取り付けることが可能であってよい。加えて、ジグは、いかなる別個のドリルガイドも必要とされないように、十分な長さの整列構造を含むことができる。さらに、ジグの第２の部分は、骨折部の一方の側のすべてのネジ孔の上に延びてそのネジ孔のための開口部を含むように構成された、少なくとも１つの側を含み、もう一方の側は、好ましくは少なくとも１つのネジ孔のための開口部を含むことが好ましい。このようにすることで、所望の機能性がもたらされる。
【００２９】
釘、ジグシステム、および方法の結果は、より小さな切開部を作ることができ、手術は、骨膜組織のわずかな剥離のみを伴う、比較的低侵襲性のものとなる。さらに、釘は、挿入しやすく、自己誘導式で、髄管内で整列する。一旦植え込まれると、実質的にシステム全体は、ネジの頭部およびシャフトの一部を除いて、髄内に位置する。結果として得られる固定は、大きなネジの頭部と釘との間で骨折した骨をクランプするため、非常に安定している。さらに、この大きなネジの頭部は、皮質骨の外面の比較的大きな表面積にわたって骨にかかる応力を分散する。
【００３０】
釘は、任意の長骨骨折、特に鎖骨、橈骨、および腓骨の骨折に適しているが、大腿骨、および脛骨などのより大きな骨のために寸法を適合させることができる。加えて、湾曲した長骨、例えば橈骨のために、釘は、湾曲していてもよい。
【００３１】
骨内釘、およびその釘で骨折部を安定させる方法のいくつかの実施態様を、本明細書に説明し図示した。本発明の特定の実施態様が説明されたが、本発明は、当技術分野が許容する限り範囲が広く、明細書はそのように読まれることを意図しているため、本発明が、特定の実施態様に限定されることは意図されていない。したがって、釘の特定の材料および形状が開示されているが、その他の適切な材料および形状が、同様に使用されてよいことは理解されよう。加えて、各実施態様では、ジグ孔は、釘の中央、および釘の中央からオフセットした位置の双方に設けられてよく、各ネジ孔の上に設けられてもよい。したがって、当業者であれば理解されるであろうが、本発明の精神および特許請求される範囲から逸脱することなく、提供した発明にさらに他の修正がなされてもよい。
【００３２】
〔実施の態様〕
（１）  ジグと共に使用するための髄内釘システムにおいて、
細長い釘であって、
骨内膜表面、
前記骨内膜表面に対して垂直に方向付けられた、ねじ切りされ平行な少なくとも４つのネジ孔、および、
前記釘に対して回転配向に前記ジグをロックするように前記ジグの一部と結合するための、前記骨内膜表面に設けられた、非円形凹部、
を含む、釘、
を備える、釘システム。
（２）  実施態様１に記載の釘システムにおいて、
前記非円形凹部は、前記ネジ孔のうちの１つに設けられる、釘システム。
（３）  実施態様１に記載の釘システムにおいて、
前記非円形凹部は、前記釘の長さに沿って中心に位置する、釘システム。
（４）  実施態様１に記載の釘システムにおいて、
前記非円形凹部は、正方形、または長方形である、釘システム。
（５）  実施態様１に記載の釘システムにおいて、
前記釘は、２つの細長い部分を画定し、これら部分は、前記非円形凹部の両側にそれぞれ１つずつ位置しており、
等しい数の前記ねじ切りされたネジ孔が、各前記部分に沿って設けられる、釘システム。
（６）  実施態様１に記載の釘システムにおいて、
前記釘は、先細になっている、第１および第２の端部を含む、釘システム。
（７）  実施態様１に記載の釘システムにおいて、
複数の単一皮質小ネジであって、各前記小ネジは、頭部、および前記ネジ孔のうちの１つでネジ係合するように構成されたシャフトを有する、小ネジ、
をさらに備え、
前記ネジが骨を通して前記ネジ孔内に挿入されると、前記骨は、前記ネジの前記頭部の間にクランプされる、
釘システム。
【００３３】
（８）  整形外科用釘システムにおいて、
ａ）細長い釘であって、
骨内膜表面、
前記骨内膜表面に対して垂直に方向付けられた複数のねじ切りされたネジ孔、および、
前記釘の前記骨内膜表面に設けられた非円形凹部、
を含む、釘と、
ｂ）複数の単一皮質小ネジであって、各前記小ネジは、頭部、および前記ネジ孔のうちの１つでネジ係合するように構成されたシャフトを有する、小ネジと、
ｃ）取り外し可能なジグであって、
骨を通って延び前記非円形凹部内で係合し前記ジグおよび前記釘を一直線上にロックするのに十分な長さの第１の部分、および、
前記釘の前記ネジ孔の上を延びるように、かつ、前記骨に、この骨の下にある前記ネジ孔と整列する孔をあけるようドリルを案内するためにドリルガイドを受け入れるように寸法決めされた第２の部分、
を有する、ジグと、
を備え、
前記ネジが、前記骨を通して前記ネジ孔内に挿入されると、前記骨は、前記ネジの前記頭部と前記釘との間でクランプされる、整形外科用釘システム。
（９）  実施態様８に記載の整形外科用釘システムにおいて、
前記釘は、複数の非円形凹部を含み、
前記ジグの前記第１の部分は、前記凹部のいずれにでも取り外し可能に係合することができる、整形外科用釘システム。
（１０）  実施態様８に記載の整形外科用釘システムにおいて、
前記非円形凹部は、前記ネジ孔のうちの１つに設けられる、整形外科用釘システム。
（１１）  実施態様８に記載の整形外科用釘システムにおいて、
前記非円形凹部は、前記釘の長さに沿って中心に位置する、整形外科用釘システム。
（１２）  実施態様８に記載の整形外科用釘システムにおいて、
前記非円形凹部は、正方形、または長方形である、整形外科用釘システム。
（１３）  実施態様８に記載の整形外科用釘システムにおいて、
前記釘は、２つの細長い部分を画定し、これら部分は、前記非円形凹部の両側にそれぞれ１つずつ位置しており、
等しい数の前記ねじ切りされたネジ孔が、各前記部分に沿って設けられる、整形外科用釘システム。
（１４）  実施態様８に記載の整形外科用釘システムにおいて、
前記釘は、先細になっている、第１および第２の端部を含む、整形外科用釘システム。
（１５）  実施態様８に記載の整形外科用釘システムにおいて、
前記ネジの前記頭部は、平坦な下面を含む、整形外科用釘システム。
（１６）  実施態様８に記載の整形外科用釘システムにおいて、
前記第２の部分は、同一直線上の、第１の要素、および第２の要素を含み、これら要素は、前記第１の部分の両側にそれぞれ延びており、
前記第２の要素は、前記第１の要素よりも長い、整形外科用釘システム。
【００３４】
（１７）  整形外科用釘システムにおいて、
ａ）細長い釘であって、
骨内膜表面、
前記骨内膜表面に対して垂直に方向付けられた複数のねじ切りされたネジ孔、および、
前記骨内膜表面に設けられた複数の非円形凹部、
を含む、釘と、
ｂ）複数の単一皮質小ネジであって、各前記小ネジは、頭部、および前記ネジ孔のうちの１つでネジ係合するように構成されたシャフトを有する、小ネジと、
ｃ）取り外し可能なジグであって、
前記ジグは、
骨を通って延びるように、かつ前記非円形凹部内で係合し前記ジグおよび前記釘を一直線上にロックするように構成された第１の部分、ならびに、
前記釘の前記ネジ孔の少なくとも一部の上に延びるように寸法決めされた第２の部分、
を有し、
前記第２の部分は、骨に、この骨の下にある前記ネジ孔と一直線上に孔をあけるために、ドリルを案内する手段を備える、
ジグと、
を備え、
前記ネジが前記骨を通して前記ネジ孔内に挿入されると、前記骨は、前記ネジの前記頭部と前記釘との間でクランプされる、整形外科用釘システム。
（１８）  整形外科用釘システムにおいて、
ａ）細長い釘であって、
骨内膜表面、
前記骨内膜表面に対して垂直に方向付けられた複数のねじ切りされたネジ孔であって、前記ネジ孔のうち複数が前記釘の長さ方向中心部の第１の側および第２の側に設けられた、ネジ孔、ならびに、
前記骨内膜表面に設けられた複数の非円形凹部、
を含む、釘と、
ｂ）ジグであって、
骨を通って配置され、かつ前記非円形凹部内で取り外し可能に係合して前記ジグおよび前記釘を回転配列にするように構成された第１の部分、ならびに、
第２の部分、
を有し、
前記第２の部分は、
第１の側であって、前記釘の前記長さ方向中心部の前記第１の側に設けられた前記ネジ孔の上に延びるのに十分な長さであり、前記ネジ孔と一直線上に孔をあけるために前記ネジ孔と一直線上に開口部を含む、第１の側、ならびに、
第２の側であって、前記釘の前記長さ方向中心部の前記第２の側に設けられた前記ネジ孔のうち少なくとも１つの上に延びるのに十分な長さであり、前記ネジ孔と一直線上に孔をあけるために前記ネジ孔と一直線上に少なくとも１つの開口部を含む、第２の側、
を有する、
ジグと、
を備える、整形外科用釘システム。
（１９）  実施態様１８に記載の整形外科用釘システムにおいて、
前記釘に対して前記ジグをロックするための手段、
をさらに備える、整形外科用釘システム。
（２０）  実施態様１８に記載の整形外科用釘システムにおいて、
前記第２の側は、前記長さ方向中心部の前記第２の側に設けられた前記ネジ孔のすべての上に延びるのに十分な長さであり、前記第２の側の下にあるそれぞれの前記ネジ孔と一直線上に孔をあけるための開口部を含む、整形外科用釘システム。
（２１）  実施態様１８に記載の整形外科用釘システムにおいて、
複数の単一皮質小ネジであって、各前記小ネジは、頭部、および前記ネジ孔のうちの１つでネジ係合するように構成されたシャフトを有する、小ネジ、
をさらに備え、
前記ネジが骨を通って前記ネジ孔内に挿入されると、前記骨は、前記ネジの前記頭部と前記釘との間でクランプされる、
整形外科用釘システム。
【００３５】
（２２）  整形外科用釘システムにおいて、
ａ）細長い釘であって、
骨内膜表面、および、
前記骨内膜表面に対して垂直に方向付けられた複数のねじ切りされたネジ孔、
を含み、
前記ネジ孔のうち少なくとも１つが、骨幹骨折部の両側にそれぞれ位置するように構成されている、
釘と、
ｂ）複数の単一皮質小ネジであって、
各前記小ネジは、頭部、および前記ネジ孔のうちの１つでネジ係合するように構成されたシャフトを有し、
前記頭部は、骨と接触するための下面を有し、
前記下面は、表面積、および前記シャフトを通る断面により画定される面積を有し、
前記シャフトを通る前記断面の前記面積に対する前記頭部の前記下面の前記表面積の割合は、少なくとも１．５である、
小ネジと、
を備える、整形外科用釘システム。
（２３）  実施態様２２に記載の整形外科用釘システムにおいて、
2008519664.tif 000004
（２４）  実施態様２３に記載の整形外科用釘システムにおいて、
2008519664.tif 000005
（２５）  実施態様２３に記載の整形外科用釘システムにおいて、
前記下面は、ほぼ平坦である、整形外科用釘システム。
【００３６】
（２６）  骨折した骨に髄内釘を植え込む方法であって、骨折部は、前記骨を第１の骨部分、および第２の骨部分に分離する、方法において、
ａ）骨折部の２つの側においてインプラントが髄内に延在するように前記インプラントを前記骨の髄管に挿入するステップであって、前記インプラントは、前記髄管よりも断面が小さい、ステップと、
ｂ）前記インプラントを前記骨の骨内膜表面に接触させ、かつ前記骨の外面に力をかけることによって、前記骨折部を固定するのに十分な力で前記骨をクランプするステップと、
を備える、方法。
（２７）  実施態様２６に記載に方法において、
前記骨の前記外面に前記力をかける前記ステップは、
前記骨の外側から前記骨折部の前記２つの側における前記インプラントのネジ孔に小ネジを挿入するステップであって、前記小ネジは、下面を備えた比較的大きな頭部を有する、ステップ、および、
前記下面が前記骨の前記外面に力をかけるように前記ネジを締めるステップ、
を含む、方法。
（２８）  実施態様２７に記載の方法において、
前記下面は、ほぼ平坦である、方法。
（２９）  実施態様２８に記載の方法において、
前記小ネジは、シャフトを有し、
面積が、前記シャフトを通る断面により画定され、
前記シャフトを通る前記断面の前記面積に対する前記頭部の前記下面の表面積の割合は、少なくとも１．５である、方法。
（３０）  実施態様２９に記載の方法において、
2008519664.tif 000006
（３１）  実施態様２９に記載の方法において、
2008519664.tif 000007
【００３７】
（３２）  骨折した骨に髄内釘を植え込む方法であって、骨折部は、前記骨を第１の骨部分、および第２の骨部分に区分する、方法において、
ａ）前記骨の前記第１の部分の髄管内に前記釘の長さの少なくとも半分を導入するステップであって、前記釘は、ねじ切りされた複数のネジ孔を有する、ステップと、
ｂ）前記骨折した骨を整復するステップであって、一旦前記骨折部が整復されると前記釘の全体が、前記髄管内に位置する、ステップと、
ｃ）前記釘の第１の位置にジグを連結するステップと、
ｄ）前記ジグを用いて前記ねじ切りされたネジ孔の一部と一直線上で前記骨に孔をあけるステップと、
ｅ）機械ねじ山を備えたシャフト、および頭部を有するネジを供給するステップと、
ｆ）前記ネジの前記シャフトを前記骨にあけられた前記孔に通して前記ネジ孔内に導入し、前記ネジを回転させて前記ネジの前記頭部と前記釘との間で前記骨のクランプを生じさせるステップと、
ｇ）前記釘から前記ジグを切り離すステップと、
ｈ）前記第１の位置から長さ方向に転置された前記釘の第２の位置に前記ジグを連結するステップと、
ｉ）前記ジグを用いて残りの前記ねじ切りされたネジ孔と一直線上で前記骨に孔をあけるステップと、
ｊ）前記釘から前記ジグを切り離すステップと、
ｋ）前記ネジの前記シャフトを前記骨にあけられた前記孔に通し前記残りの前記ネジ孔内に導入するステップと、
を備える、方法
（３３）  実施態様３２に記載の方法において、
前記骨折部を整復する前記ステップの後、前記インプラントの比較的等しい長さが、前記骨折部の両側にそれぞれ位置するように前記髄管内で前記インプラントを動かすステップ、
をさらに備える、方法。
（３４）  実施態様３２に記載の方法において、
導入する前記ステップの前に、
前記釘に前記ジグを連結するステップと、
前記ジグで前記骨に対して前記釘を操作するステップと、
をさらに備える、方法。
（３５）  実施態様３４に記載の方法において、
前記骨折部を整復する前記ステップの前に、
前記釘に前記ジグを連結するステップと、
前記ジグで前記骨に対して前記釘を操作するステップと、
をさらに備える、方法。
【００３８】
（３６）  骨折した骨に髄内釘を植え込む方法であって、前記骨折は、前記骨を第１の骨部分、および第２の骨部分に分離する、方法において、
ａ）前記骨の前記第１の部分の髄管内に前記釘の少なくとも一部を導入するステップであって、前記釘は、ねじ切りされた複数のネジ孔を有する、ステップと、
ｂ）前記骨折した骨を整復するステップと、
ｃ）前記釘上の長さ方向に中心の位置でジグを連結するステップと、
ｄ）前記ジグを用いて前記ねじ切りされたネジ孔と一直線上で前記骨に孔をあけるステップと、
ｅ）機械ねじ山を備えたシャフト、および頭部を有するネジを供給するステップと、
ｆ）前記ネジの前記シャフトを前記骨にあけられた前記孔を通して前記ネジ孔内に導入し、前記ネジを回転させて前記ネジの前記頭部と前記釘との間で前記骨のクランプを生じさせるステップと、
ｇ）前記釘から前記ジグを切り離すステップと、
を備える、方法。
（３７）  実施態様３６に記載の方法において、
前記骨折部を整復する前記ステップの後、前記インプラントの比較的等しい長さが、前記骨折部の両側にそれぞれ位置するように、前記髄管内で前記インプラントを動かすステップ、
をさらに備える、方法。
（３８）  実施態様３６に記載の方法において、
導入する前記ステップの前に、
前記釘に前記ジグを連結するステップと、
前記ジグで前記骨に対して前記釘を操作するステップと、
をさらに備える、方法。
（３９）  実施態様３６に記載の方法において、
前記骨折部を整復する前記ステップの前に、
前記釘に前記ジグを連結するステップと、
前記ジグで前記骨に対して前記釘を操作するステップと、
をさらに備える、方法。
【００３９】
（４０）  骨折した骨に髄内釘を植え込む方法であって、前記骨折は、前記骨を第１の骨部分、および第２の骨部分に区分する、方法において、
ａ）前記骨の髄管内に前記釘を導入するステップであって、前記釘は、前記第１の骨部分、および前記第２の骨部分の下に位置するねじ切りされた複数のネジ孔を有する、ステップと、
ｂ）前記釘の第１の位置にジグを連結するステップと、
ｃ）前記ジグを用いて、前記ねじ切りされたネジ孔のうち少なくとも１つと一直線上で前記第１の骨部分に孔をあけるステップと、
ｄ）機械ねじ山備えたシャフト、および頭部を有するネジを供給するステップと、
ｅ）前記ネジの前記シャフトを前記骨にあけられた前記孔を通して前記ネジ孔内に導入し、前記ネジを回転させて前記ネジの前記頭部と前記釘との間で前記骨のクランプを生じさせるステップと、
ｆ）前記釘から前記ジグを切り離すステップと、
ｇ）前記第１の位置から長さ方向に転置された、前記釘の第２の位置で前記ジグを連結するステップと、
ｈ）前記骨折した骨を整復するステップであって、一旦骨折部が整復されると前記釘のほぼ全体が、前記髄管の内部に位置する、ステップと、
ｉ）前記ジグを用いて前記第２の骨部分の下にある前記ねじ切りされたネジ孔と一直線上で前記第２の骨部分に孔をあけるステップと、
ｊ）前記ネジの前記シャフトを前記第２の骨部分にあけられた前記孔を通して前記第２の骨部分の下にある前記ネジ孔内に導入するステップと、
を備える、方法。
（４１）  実施態様４０に記載の方法において、
同一の前記ジグは、ステップｂ）、およびステップｇ）に用いられる、方法。
（４２）  実施態様４０に記載の方法において、
前記釘の前記第１の位置に前記ジグを連結する前記ステップは、前記釘の長さ方向中心部に前記ジグを連結するステップを含む、方法。
（４３）  実施態様４０に記載の方法において、
前記釘の前記第１の位置に前記ジグを連結する前記ステップは、前記第１の位置と前記第２の位置との間で前記ジグを連結するステップを含む、方法。
（４４）  実施態様４０に記載の方法において、
前記ジグを用いて前記第２の骨部分に孔をあける前記ステップは、整復された前記骨折部が圧縮状態に維持されている間に実行される、方法。
【図面の簡単な説明】
【００４０】
【図１】本発明にしたがった髄内釘の上面図または骨内膜表面の図である。
【図２】骨折した骨に図１の釘を植え込む方法を示す、たて断面図である。
【図３】骨折した骨に植え込まれた図１の釘を示す、たて断面図である。
【図４】本発明の整形外科用釘システムに用いるための単一皮質小ネジの側面立面図である。
【図５】図４の単一皮質小ネジのたて断面図である。
【図６】本発明の髄内釘の別の実施態様の上面図または骨内膜表面の図である。
【図７】骨折した骨に図６の釘を植え込む方法を示す、たて断面図である。
【図８】骨折した骨に植え込まれた図６の釘を示す、たて断面図である。
【図９】釘の第３の実施態様の部分断面図であり、第１の位置に取り付けられたジグと共に示されている。
【図１０】図１０の釘の部分断面図であり、第２の位置に取り付けられたジグと共に示されている。
【図１】
2008519664.tif 000010
【図２】
2008519664.tif 000011
【図３】
2008519664.tif 000012
【図４】
2008519664.tif 000013
【図５】
2008519664.tif 000014
【図６】
2008519664.tif 000015
【図７】
2008519664.tif 000016
【図８】
2008519664.tif 000017
【図９】
2008519664.tif 000018
【図１０】
2008519664.tif 000019
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
ジグと共に使用するための髄内釘システムにおいて、
細長い釘であって、
骨内膜表面、
前記骨内膜表面に対して垂直に方向付けられた、ねじ切りされ平行な少なくとも４つのネジ孔、および、
前記釘に対して回転配向に前記ジグをロックするように前記ジグの一部と結合するための、前記骨内膜表面に設けられた非円形凹部、
を含む、釘、
を備える、釘システム。
【請求項２】
請求項１に記載の釘システムにおいて、
前記非円形凹部は、前記ネジ孔のうちの１つに設けられる、釘システム。
【請求項３】
請求項１に記載の釘システムにおいて、
前記非円形凹部は、前記釘の長さに沿って中心に位置する、釘システム。
【請求項４】
請求項１に記載の釘システムにおいて、
前記非円形凹部は、正方形、または長方形である、釘システム。
【請求項５】
請求項１に記載の釘システムにおいて、
前記釘は、２つの細長い部分を画定し、これら部分は、前記非円形凹部の両側にそれぞれ１つずつ位置しており、
等しい数の前記ねじ切りされたネジ孔が、各前記部分に沿って設けられる、釘システム。
【請求項６】
請求項１に記載の釘システムにおいて、
前記釘は、先細になっている、第１および第２の端部を含む、釘システム。
【請求項７】
請求項１に記載の釘システムにおいて、
複数の単一皮質小ネジであって、各前記小ネジは、頭部、および前記ネジ孔のうちの１つでネジ係合するように構成されたシャフトを有する、小ネジ、
をさらに備え、
前記ネジが骨を通して前記ネジ孔内に挿入されると、前記骨は、前記ネジの前記頭部と前記釘の前記骨内膜表面との間にクランプされる、
釘システム。
【請求項８】
整形外科用釘システムにおいて、
ａ）細長い釘であって、
骨内膜表面、
前記骨内膜表面に対して垂直に方向付けられた複数のねじ切りされたネジ孔、および、
前記釘の前記骨内膜表面に設けられた非円形凹部、
を含む、釘と、
ｂ）複数の単一皮質小ネジであって、各前記小ネジは、頭部、および前記ネジ孔のうちの１つでネジ係合するように構成されたシャフトを有する、小ネジと、
ｃ）取り外し可能なジグであって、
骨を通って延び前記非円形凹部内で係合し前記ジグおよび前記釘を一直線上にロックするのに十分な長さの第１の部分、および、
前記釘の前記ネジ孔の上を延びるように、かつ、前記骨に、この骨の下にある前記ネジ孔と整列する孔をあけるようドリルを案内するためにドリルガイドを受け入れるように寸法決めされた第２の部分、
を有する、ジグと、
を備え、
前記ネジが、前記骨を通して前記ネジ孔内に挿入されると、前記骨は、前記ネジの前記頭部と前記釘との間でクランプされる、整形外科用釘システム。
【請求項９】
請求項８に記載の整形外科用釘システムにおいて、
前記釘は、複数の非円形凹部を含み、
前記ジグの前記第１の部分は、前記凹部のいずれにでも取り外し可能に係合することができる、整形外科用釘システム。
【請求項１０】
請求項８に記載の整形外科用釘システムにおいて、
前記非円形凹部は、前記ネジ孔のうちの１つに設けられる、整形外科用釘システム。
【請求項１１】
請求項８に記載の整形外科用釘システムにおいて、
前記非円形凹部は、前記釘の長さに沿って中心に位置する、整形外科用釘システム。
【請求項１２】
請求項８に記載の整形外科用釘システムにおいて、
前記非円形凹部は、正方形、または長方形である、整形外科用釘システム。
【請求項１３】
請求項８に記載の整形外科用釘システムにおいて、
前記釘は、２つの細長い部分を画定し、これら部分は、前記非円形凹部の両側にそれぞれ１つずつ位置しており、
等しい数の前記ねじ切りされたネジ孔が、各前記部分に沿って設けられる、整形外科用釘システム。
【請求項１４】
請求項８に記載の整形外科用釘システムにおいて、
前記釘は、先細になっている、第１および第２の端部を含む、整形外科用釘システム。
【請求項１５】
請求項８に記載の整形外科用釘システムにおいて、
前記ネジの前記頭部は、平坦な下面を含む、整形外科用釘システム。
【請求項１６】
請求項８に記載の整形外科用釘システムにおいて、
前記第２の部分は、同一直線上の、第１の要素、および第２の要素を含み、これら要素は、前記第１の部分の両側にそれぞれ延びており、
前記第２の要素は、前記第１の要素よりも長い、整形外科用釘システム。
【請求項１７】
整形外科用釘システムにおいて、
ａ）細長い釘であって、
骨内膜表面、
前記骨内膜表面に対して垂直に方向付けられた複数のねじ切りされたネジ孔、および、
前記骨内膜表面に設けられた複数の非円形凹部、
を含む、釘と、
ｂ）複数の単一皮質小ネジであって、各前記小ネジは、頭部、および前記ネジ孔のうちの１つでネジ係合するように構成されたシャフトを有する、小ネジと、
ｃ）取り外し可能なジグであって、
前記ジグは、
骨を通って延びるように、かつ前記非円形凹部内で係合し前記ジグおよび前記釘を一直線上にロックするように構成された第１の部分、ならびに、
前記釘の前記ネジ孔の少なくとも一部の上に延びるように寸法決めされた第２の部分、
を有し、
前記第２の部分は、骨に、この骨の下にある前記ネジ孔と一直線上に孔をあけるために、ドリルを案内する手段を備える、
ジグと、
を備え、
前記ネジが前記骨を通して前記ネジ孔内に挿入されると、前記骨は、前記ネジの前記頭部と前記釘との間でクランプされる、整形外科用釘システム。
【請求項１８】
整形外科用釘システムにおいて、
ａ）細長い釘であって、
骨内膜表面、
前記骨内膜表面に対して垂直に方向付けられた複数のねじ切りされたネジ孔であって、前記ネジ孔のうち複数が前記釘の長さ方向中心部の第１の側および第２の側に設けられた、ネジ孔、ならびに、
前記骨内膜表面に設けられた複数の非円形凹部、
を含む、釘と、
ｂ）ジグであって、
骨を通って配置され、かつ前記非円形凹部内で取り外し可能に係合して前記ジグおよび前記釘を回転配列にするように構成された第１の部分、ならびに、
第２の部分、
を有し、
前記第２の部分は、
第１の側であって、前記釘の前記長さ方向中心部の前記第１の側に設けられた前記ネジ孔の上に延びるのに十分な長さであり、前記ネジ孔と一直線上に孔をあけるために前記ネジ孔と一直線上に開口部を含む、第１の側、ならびに、
第２の側であって、前記釘の前記長さ方向中心部の前記第２の側に設けられた前記ネジ孔のうち少なくとも１つの上に延びるのに十分な長さであり、前記ネジ孔と一直線上に孔をあけるために前記ネジ孔と一直線上に少なくとも１つの開口部を含む、第２の側、
を有する、
ジグと、
を備える、整形外科用釘システム。
【請求項１９】
請求項１８に記載の整形外科用釘システムにおいて、
前記釘に対して前記ジグをロックするための手段、
をさらに備える、整形外科用釘システム。
【請求項２０】
請求項１８に記載の整形外科用釘システムにおいて、
前記第２の側は、前記長さ方向中心部の前記第２の側に設けられた前記ネジ孔のすべての上に延びるのに十分な長さであり、前記第２の側の下にあるそれぞれの前記ネジ孔と一直線上に孔をあけるための開口部を含む、整形外科用釘システム。
【請求項２１】
請求項１８に記載の整形外科用釘システムにおいて、
複数の単一皮質小ネジであって、各前記小ネジは、頭部、および前記ネジ孔のうちの１つでネジ係合するように構成されたシャフトを有する、小ネジ、
をさらに備え、
前記ネジが骨を通って前記ネジ孔内に挿入されると、前記骨は、前記ネジの前記頭部と前記釘との間でクランプされる、
整形外科用釘システム。
【請求項２２】
整形外科用釘システムにおいて、
ａ）細長い釘であって、
骨内膜表面、および、
前記骨内膜表面に対して垂直に方向付けられた複数のねじ切りされたネジ孔、
を含み、
前記ネジ孔のうち少なくとも１つが、骨幹骨折部の両側にそれぞれ位置するように構成されている、
釘と、
ｂ）複数の単一皮質小ネジであって、
各前記小ネジは、頭部、および前記ネジ孔のうちの１つでネジ係合するように構成されたシャフトを有し、
前記頭部は、骨と接触するための下面を有し、
前記下面は、表面積、および前記シャフトを通る断面により画定される面積を有し、
前記シャフトを通る前記断面の前記面積に対する前記頭部の前記下面の前記表面積の割合は、少なくとも１．５である、
小ネジと、
を備える、整形外科用釘システム。
【請求項２３】
請求項２２に記載の整形外科用釘システムにおいて、
2008519664.tif 000020
【請求項２４】
請求項２３に記載の整形外科用釘システムにおいて、
2008519664.tif 000021
【請求項２５】
請求項２３に記載の整形外科用釘システムにおいて、
前記下面は、ほぼ平坦である、整形外科用釘システム。
【国際調査報告】
2008519664.tif 000022
2008519664.tif 000023